(57)【要約】【課題】部品点数を減らすことができ、かつ本体フレームと扉との組付に際してねじ止め作業が不要で、組付を簡単に行えるようにする。【解決手段】プリント基板が収納され壁面等へ取り付けられる本体フレーム２と、本体フレーム２に開閉自在に装着されてその前面を覆う扉４とを備え、本体フレーム２と扉４とは、その一方の一側辺部の両端にそれぞれ一体成形した軸６，６と、これら軸６，６がそれぞれ嵌入可能に他方に一体成形した軸受７，７と、からなる２組の蝶番部３，３により連結する。【選択図】        図１
2004303040.tif 000002
【特許請求の範囲】
【請求項１】
プリント基板が収納され壁面等へ取り付けられる本体フレームと、前記本体フレームに開閉自在に装着されてその前面を覆う扉とを備え、
前記本体フレームと扉とは、その一方の一側辺部の両端にそれぞれ一体成形した軸と、これら軸がそれぞれ嵌入可能に他方に一体成形した軸受と、からなる２組の蝶番部により連結されてなることを特徴とする火災報知設備用機器。
【請求項２】
前記本体フレームの蝶番側辺部における両蝶番部間に、開扉時に該扉の側面と面接触して、開扉角度を規制するストッパを設けたことを特徴とする請求項１記載の火災報知設備用機器。
【請求項３】
蝶番軸線上の複数個所に、前記本体フレーム側の前記各ストッパ間にほぞ組状に嵌入するガイドを扉と一体に設けたことを特徴とする請求項１又は請求項２記載の火災報知設備用機器。
【発明の詳細な説明】
【０００１】
【発明の属する技術分野】
本発明は、例えば火災報知設備用機器に係り、より詳しくは、機器の筐体における本体フレームと扉との連結部の改良に関する。
【０００２】
【従来の技術】
従来の火災報知設備用機器、例えば壁掛けタイプの火災受信機の筐体は、有底枠状の本体フレームに別体からなるヒンジ部材を使用して扉が取り付けられ、１８０°開閉可能となっている。また外付けタイプのヒンジ部材が用いられている場合は、その回動中心となる軸部が本体フレームと扉の連結側辺よりも外側に位置するため、１８０°以上開閉可能となっている。ヒンジ部材は、通常、軸を介しほぞ組状に連結された２枚の板部材からなり、これら板部材を、本体フレームと扉とにそれぞれねじによって止着することにより、本体フレームと扉が連結されるようになっている。また、このような壁掛けタイプの火災受信機においては、通常、本体フレームの底壁部にこれを壁面等に取付けるためのねじ挿通穴が形成されていて、筐体の壁面への取付が以下の手順で行われるようになっている。まず本体フレームのねじ挿通穴の位置に合わせて予め壁面等にねじを取り付け、次いで本体フレームのねじ挿通穴が見えるように扉を開いて、そのねじ挿通穴にねじを挿通させることで火災受信機を壁面等に仮止めし、最後にねじ止め作業を行う（例えば特許文献１参照）。
【０００３】
【特許文献１】
特開平１０−３２６３８９号公報
【０００４】
【発明が解決しようとする課題】
このように、従来は火災報知設備用機器の筐体の本体フレームと扉とを、別体からなる複数のヒンジ部材を用いてねじにより連結するようにしているため、部品点数が多く、かつねじ止め作業が繁雑であった。また、強度を確保するためにヒンジ部材の数を増やした場合には、ヒンジ部材相互の心出しや各ヒンジ部材のねじ止め作業がより一層煩雑になるという難点があった。
【０００５】
また、壁掛けタイプの火災受信機のように筐体を壁面に取り付ける必要があるものにおいては、従来は扉を開かなければねじ挿通穴の位置がわからないため、仮止めから締め付けに至るまで扉を開いた状態にしなければ、作業ができず、その間、扉は固定されず不安定な状態におかれるという問題があった。このため、筐体の壁面への取付作業が煩雑となり、また外付けタイプのヒンジ部材が用いられている場合には、扉が１８０°以上自由回動して設置壁面に接触しまい、破損することもあった。なお、壁面のねじに対して扉を閉じた状態で筐体を仮止めすることは可能であるが、この場合には本体フレームのねじ挿通穴とねじとの上下左右方向の位置合わせを手探り状態で行わなくてはならず、仮止め作業がより煩雑となる。
【０００６】
本発明の第１の技術的課題は、部品点数を減らすことができ、かつ本体フレームと扉との組付に際してねじ止め作業が不要で、組付を簡単に行えるようにすることにある。
また、本発明の第２の技術的課題は、扉が大きく開くのを規制でき、かつ扉を閉じたままでも本体フレームを容易に壁面等に仮止めできるようにすることにある。
【０００７】
【課題を解決するための手段】
本発明の請求項１に係る火災報知設備用機器は、プリント基板が収納され壁面等へ取り付けられる本体フレームと、本体フレームに開閉自在に装着されてその前面を覆う扉とを備え、本体フレームと扉とは、その一方の一側辺部の両端にそれぞれ一体成形した軸と、これら軸がそれぞれ嵌入可能に他方に一体成形した軸受と、からなる２組の蝶番部により連結されてなるものである。
【０００８】
また、本発明の請求項２に係る火災報知設備用機器は、本体フレームの蝶番側辺部における両蝶番部間に、開扉時にこの扉の側面と面接触して、開扉角度を規制するストッパを設けたものである。
【０００９】
また、本発明の請求項３に係る火災報知設備用機器は、蝶番軸線上の複数個所に、本体フレーム側の前記各ストッパ間にほぞ組状に嵌入するガイドを扉と一体に設けたものである。
【００１０】
【発明の実施の形態】
図１は本発明の一実施形態に係る火災報知設備用機器を示す正面図、上面図、下面図、右側面図、及び左側面図、図２はその拡大正面図、図３は図２のＡ部を示すガイドの作用説明図、図４は図２のＡ部の拡大図、図５は図４のＢ方向よりみた扉の閉状態と開状態を示す側面図、図６は同じく扉の閉状態と開状態を示す図４のＣ−Ｃ線矢視断面図である。なお、ここでは火災報知設備用機器として壁掛けタイプの火災受信機を例に挙げて説明する。
【００１１】
本実施形態の火災報知設備用機器すなわち壁掛けタイプの火災受信機は、その筐体１が、プリント基板（図示せず）が収納される有底枠状の本体フレーム２と、本体フレーム２の一側辺両端部に２組の蝶番部３，３により枢着されてその前面を開閉自在に覆う浅い箱状の扉４とから構成され、本体フレーム２の底壁２ｂ（図６）の上辺近傍の左右２個所に、これを壁面等に取付けるためのねじ挿通穴（図示せず）が形成されている。
【００１２】
これを更に詳述すると、本体フレーム２と扉４とは、いずれも合成樹脂からなり、蝶番部３はこれら本体フレーム２と扉４とにモールドによりそれぞれ一体成形されている。すなわち、蝶番部３は、扉４の右側辺の上下両端部に外付状態に設けられた円筒部５，５及びこれら円筒部５，５の外端面にそれぞれ突設された軸６，６と、これら軸６，６が嵌入可能に本体フレーム２の右側辺の上下両端部に外付状態に張り出させて設けられた軸受片（軸受）７，７とから構成され、扉４側の各軸６，６を本体フレーム２側の軸受片７，７にこれらのばね力を利用して押し込むことでこれらが連結されるようになっている。したがって、各軸受片７，７には、各軸６，６の挿入を容易にするためのガイドとなる溝７ａ，７ａ（図２及び図４）が設けられている。
【００１３】
また、本体フレーム２の蝶番側辺部における両蝶番部３，３間の複数個所（ここでは４個所）に、開扉時に図６のように扉４の側面４ａと面接触して、開扉角度を規制するストッパ２ａが設けられており、ここでは開扉角度が１３５°となるようにストッパ２ａの傾斜角度θが設定されているが、この開扉角度を決定する傾斜角度θは金型にて調整可能である。
【００１４】
また、両蝶番部３，３間の蝶番軸線上の複数個所（ここでは３個所）に、本体フレーム２側のストッパ２ａ，２ａ，２ａ，２ａ間にほぞ組状に嵌入する円筒状ガイド８，８，８（図１及び図２）が扉４と一体に設けられている。
【００１５】
また、図１のように筐体１の上面、ここでは扉４の上面の左右２個所に、取付孔となる本体フレーム２のねじ挿通穴（図示せず）の位置ガイドとなる目印１２，１２が設けられているとともに、それらの間の中央位置にもセンターであることを示す目印１３が設けられている。
【００１６】
なお、扉４の前面には、図１及び図２の如く、表示部、操作部を構成するＬＥＤ、スイッチ等が、プラスチック等にて製作したフィルム上に実装されたシート基板１４が貼付られ、この扉４に形成されている図示しないケーブル引込口より筐体１内に挿入されたフラットケーブルにより、シート基板１４と本体フレーム２内のプリント基板との間が電気的に接続されるようになっている。
【００１７】
以上の構成を有する本実施形態の火災報知設備用機器において、本体フレーム２と扉４との組付は、まず扉４側の円筒部５，５の軸６，６と、本体フレーム２側の軸受片７，７の溝７ａ，７ａとの位置合わせを行い、そのまま軸６，６が軸受片７，７の中心に向かうように扉４を押し込む。このとき、軸受片７，７は扉４の押し込み力によって外側へ撓むが、軸６，６が軸受片７，７の中心孔部に嵌入するとスプリングバックにより元の状態に復帰し、軸６，６が軸受片７，７に枢着される。また、同時に扉４側の各円筒状ガイド８，８，８の一部が、本体フレーム２側の各ストッパ２ａ，２ａ，２ａ，２ａの間にほぞ組状に嵌入する。すなわち、扉４をワンタッチで本体フレーム２に取り付けることができる。
【００１８】
次に、このようにして扉４と本体フレーム２とを組み付けてなる筐体１を壁面に取り付けるには、まず本体フレーム２のねじ挿通穴の位置に合わせて予め壁面等にねじを取り付け、次いで扉４を閉じた状態で筐体１上面の目印１２，１２と壁面のねじとの左右方向の位置合わせを目視により行った後、このねじ位置にねじ挿通穴がくるまで筐体１を上方より下方へスライドさせ、本体フレーム２のねじ挿通穴にねじを挿通させて仮止めし、最後に扉４をストッパ２ａに当接するまで開いて、ねじ止め作業を行なってから、シート基板１４から扉４のケーブル引込口を通して延びるフラットケーブルの先端を本体フレーム２内のプリント基板に接続する。
【００１９】
このように、本実施形態の火災報知設備用機器は、蝶番部３を、扉４と一体の円筒部５，５及びこれら円筒部５，５の外端面にそれぞれ突設された軸６，６と、これら軸６，６が嵌入可能に本体フレーム２に一体に設けた軸受片７，７とから構成し、扉４側の各軸６，６を本体フレーム２側の軸受片７，７にこれらのばね力を利用して押し込むことで連結できるようにしているので、部品点数を減らすことができ、かつ扉４をワンタッチで本体フレーム２に取り付けることができる。
【００２０】
また、壁面等へ取り付けるための取付孔を底壁部に有し、プリント基板が収納されてなる本体フレームと、本体フレームに開閉自在に装着されてその前面を覆う扉とによって形成されてなる筐体の上面に、取付孔の位置ガイドとなる目印を設けた。つまり筐体１すなわち扉４の上面の左右２個所に、取付孔となる本体フレーム２のねじ挿通穴の位置ガイドとなる目印１２，１２を設けているので、扉４を閉じたまま筐体１の仮止め作業を行うことができる。このため、仮止め作業が容易となる。
【００２１】
また、ねじ止め作業およびフラットケーブル接続作業の際、扉４は図５及び図６のようにその側面４ａがストッパ２ａに当接し、開扉角度が１３５°に規制される。このため、従来のように扉４が必要以上に自由回動して設置壁面に接触するようなことはなくなり、接触による破損事故を未然に防止することができる。さらに、フラットケーブルの長さをテンションが掛からない範囲で短くすることができて、フラットケーブルと取付工具等との干渉事故を少なくすることができる。さらにまた、ストッパ２ａは扉４の側面４ａと面接触することにより、その開扉方向の動きを規制するようにしているので、扉４から受ける荷重、つまりストッパ２ａが受ける圧力が分散され、応力集中がなくなって強度の確保が容易となり、耐久性、信頼性が向上する。
【００２２】
また、ストッパ２ａが、扉４側の各円筒状ガイド８，８，８及び各円筒部５，５の間にそれぞれほぞ組状に嵌入して、これら各円筒状ガイド８，８，８及び各円筒部５，５のスラスト方向の動きを規制するように、つまり扉４のスラスト荷重を支持させるようにしているので、図３（ａ）に示す上下方向（スラスト方向）の荷重が蝶番部３に加わるのを抑制することができる。このため、蝶番部３が破損するのを防止することができるとともに、開扉時における上下方向（スラスト方向）のズレがなくなって、図３（ｂ）に示すように扉４の平行開閉が可能となる。さらに、図３（ｃ）に示すような開扉時における扉４の捩れも各ストッパ２ａの端面にて受けさせることができ、扉４の捩れが蝶番部３に影響を与えるのを未然に防止することができる。
【００２３】
なお、前述の実施形態では、扉４側に蝶番部３を形成する円筒部５及び軸６を設けるとともに、本体フレーム２側に蝶番部３を形成する軸受片７を設けたものを例に挙げて説明したが、これらの関係は逆でもよいことは言うまでもない。
【００２４】
【発明の効果】
以上述べたように、請求項１の発明によれば、プリント基板が収納され壁面等へ取り付けられる本体フレームと、本体フレームに開閉自在に装着されてその前面を覆う扉とを備え、本体フレームと扉とは、その一方の一側辺部の両端にそれぞれ一体成形した軸と、これら軸がそれぞれ嵌入可能に他方に一体成形した軸受と、からなる２組の蝶番部により連結するようにしたので、部品点数を減らすことができて、コストの低減化が図れ、さらに扉をワンタッチで簡単に本体フレームに取り付けることができて、扉と本体フレームとの組立作業が容易となった。
【００２５】
また、請求項２の発明によれば、本体フレームの蝶番側辺部における両蝶番部間に、開扉時にこの扉の側面と面接触して、開扉角度を規制するストッパを設けたので、扉が必要以上に自由回動して設置壁面に接触するようなことがなくなり、接触による破損事故を未然に防止することができた。さらに、ストッパが受ける圧力が分散され、応力集中がなくなって強度の確保が容易となり、耐久性、信頼性が向上した。
【００２６】
また、請求項３の発明によれば、蝶番軸線上の複数個所に、本体フレーム側の前記各ストッパ間にほぞ組状に嵌入するガイドを扉と一体に設けたので、スラスト方向の荷重が蝶番部に加わるのを抑制でき、開扉時におけるスラスト方向のズレがなくなって扉の開閉がスムーズとなり、さらに扉の捩れを防止することができた。
【図面の簡単な説明】
【図１】本発明の一実施形態に係る火災報知設備用機器を示す正面図、上面図、下面図、右側面図、及び左側面図である。
【図２】本実施形態に係る火災報知設備用機器の拡大正面図である。
【図３】図２のＡ部を示すガイドの作用説明図である。
【図４】図２のＡ部の拡大図である。
【図５】図４のＢ方向よりみた扉の閉状態と開状態を示す側面図である。
【図６】扉の閉状態と開状態を示す図４のＣ−Ｃ線矢視断面図である。
【符号の説明】
１  筐体
２  本体フレーム
２ａ  ストッパ
３  蝶番部
４  扉
４ａ  扉の側面
６  軸
７  軸受片（軸受）
８  円筒状ガイド（ガイド）
【図１】
2004303040.tif 000003
【図２】
2004303040.tif 000004
【図３】
2004303040.tif 000005
【図４】
2004303040.tif 000006
【図５】
2004303040.tif 000007
【図６】
2004303040.tif 000008